(57)【要約】【課題】外部からの電力等の動力を供給することなしに、設備機器に備えられている回転機構の軸の回転動作確認を行うようにした自己回転検知システムを提供すること。【解決手段】回転機構の回転する軸１に直結したハブダイナモ２による自己発電を利用してライト４や電流又は電圧を検知する計測器５等の検知手段を作動するようにする。【選択図】図２
2005312116.tif 000002
【特許請求の範囲】
【請求項１】
回転機構の回転する軸に直結したハブダイナモによる自己発電を利用して検知手段を作動するように構成したことを特徴とする自己回転検知システム。
【請求項２】
検知手段に、ライトを使用したことを特徴とする請求項１記載の自己回転検知システム。
【請求項３】
検知手段に、電流又は電圧を検知する計測器を使用したことを特徴とする請求項１記載の自己回転検知システム。
【請求項４】
無動力回転動作式のスクリーンの回転する軸にハブダイナモを直結するようにしたことを特徴とする請求項１、２又は３記載の自己回転検知システム。
【発明の詳細な説明】
【技術分野】
【０００１】
本発明は、自己回転検知システムに関し、特に、軸を用いた回転機構の動作状況を容易に確認できるようにした自己回転検知システムに関するものである。
【背景技術】
【０００２】
従来、商用電力を供給しにくい場所に回転機構を備えた設備を設置する場合において、省エネルギ等の背景から自然の力、例えば、風力、水頭差、太陽光エネルギ等を利用した無動力式の回転機構を備えた設備を設置することがある。
このような無動力式の回転機構が現在多数存在しているが、この回転機構の動作状況を、目視できる場合は黙視確認にて、目視確認できない場合は、回転機構に回転検知手段を備えて、軸を用いた回転機構の動作状況を正常か否かを検知するようにして常に正常な運転を行うようにしている。
【０００３】
ところで、回転機構の動作状況が容易に目視確認できるものについては、特に問題はないが、目視確認できない場合がある。特に限定されるものではないが、例えば、合流式下水道においては、雨水と共に多くのごみ、例えば、枯葉やビニール片などが混入することがあるので、これらのごみを除去するため、地下に設置されている合流式下水道の雨水吐き室等に流水力を利用して回転力を得るようにした無動力回転動作式のスクリーンが採用されている。
この無動力回転動作式のスクリーンは、地下の雨水吐き室等、メンテナンス時以外作業員が入ることができない地下に設置されている場合が多く、通常運転時には作業員によって容易に目視確認できないので、装置或いは機械などの設備が正常に動作しているかどうかを何らかの方法で検知する必要がある。
この回転検知システムとして、回転機構が設置されている近傍に、回転検知センサや監視カメラを設置し、このセンサ等に外部から電力を供給し、その信号を地上等に設置したモニター、その他の計測機器等にて回転機構を備えた設備が正常に動作しているか否かを、作業員が確認できるようにしている。
【０００４】
このため、この従来の回転検知システムは、設備本体、例えば、スクリーン本体が無動力で駆動するにも関らず、サブ機構である運転検知のために、別途電力を供給するための配電設備を要したり、高価なセンサ等を設置する必要があるという問題があった。
【発明の開示】
【発明が解決しようとする課題】
【０００５】
本発明は、上記従来の回転検知システムの有する問題点に鑑み、外部からの電力等の動力を供給することなしに、設備機器に備えられている回転機構の軸の回転動作確認を行うようにした自己回転検知システムを提供することを目的とする。
【課題を解決するための手段】
【０００６】
上記目的を達成するため、本発明の自己回転検知システムは、回転機構の回転する軸に直結したハブダイナモ（Hub dynamo（発電機））による自己発電を利用して検知手段を作動するように構成したことを特徴とする。
【０００７】
この場合において、検知手段に、ライトを使用することができる。
【０００８】
また、検知手段に、電流又は電圧を検知する計測器を使用することができる。
【０００９】
また、無動力回転動作式のスクリーンの回転する軸にハブダイナモを直結するようにすることができる。
【発明の効果】
【００１０】
本発明の自己回転検知システムによれば、回転機構の回転する軸に直結したハブダイナモによる自己発電を利用して検知手段を作動するように構成しているから、軸の回転によりハブダイナモが高効率で自己発電する電力を使用して自己回転検知を行うことができるので、回転検知に別途外部電力や動力が不要となり、その設備が単純となるとともに、回転検知の機構に精密機器を使用しないのでトラブルが少なく、何らかの数値を確認する必要がなくその動作確認が行えるため、だれでも簡単に回転機構の動作確認が確実に行うことができる等の利点を有する。
【００１１】
また、検知手段に、ライトを使用することにより、外部、特に回転機構の設置された位置から遠く離れた場所で、その運転状況を点灯の有無により、また点灯の照度から目視にて容易に確認することができる。
【００１２】
また、検知手段に、電流又は電圧を検知する計測器を使用することにより、回転機構による発生動力の有無と、その指針の振れにより微弱電流でも検知することができるので、遠方からの遠隔動作確認もすることができる。
【００１３】
また、無動力回転動作式のスクリーンの回転する軸にハブダイナモを直結するようにすることにより、地下の雨水吐き室等、メンテナンス時以外作業員が入ることができない地下に設置されている場合の多い無動力回転動作式のスクリーンの通常運転時の動作状況を、作業員による目視によって容易に確認することができる。
【発明を実施するための最良の形態】
【００１４】
以下、本発明の自己回転検知システムの実施の形態を、図面に基づいて説明する。
【実施例１】
【００１５】
図１〜図２に、本発明の自己回転検知システムの一実施例を示す。
この自己回転検知システムは、回転機構の回転する軸に、高効率で自己発電を促すようにしたハブダイナモを直結し、この発生した電力を利用して自己回転検知を行うようにしたことを特徴とする。
【００１６】
図において１は、回転機構、特に限定されるものではないが、例えば、無動力回転動作式スクリーンの回転軸１の端部にハブダイナモ２を直結する。この場合、ハブダイナモに限定する理由は、通常のダイナモ発電においては、ダイナモの回転にかかる負荷が大きくなって、既存の回転機構の動作に影響を与えるためである。
回転軸１の端部とハブダイナモ２との直結は、特に限定されるものではないが、例えば、図１に示すように、接続用フランジ３を用いる。
【００１７】
このハブダイナモ２は、内部に磁石が設置されている回転円筒体２１と、内部にコイルが設置されている軸２２とで構成される。
そして、回転円筒体２１を回転軸１に接続用フランジ３を用いて直結することで、ハブダイナモ２の回転に大きな動力を要することなく、回転軸１と連動して回転させることができ、高効率で自己発電を促し、この発生電力を利用して回転機構の動作状況を検知する検知手段を作動するようにする。
この検知手段としては、図２（Ａ）に示すように、ライト４を用いることができる。このライト４は、ハブダイナモ２とリード線６を介して接続し、ハブダイナモ２により発生する電力にて点灯するようにする。
このライト４を使用する場合は、回転機構の回転軸１が設定された正常な回転数で回転しているときの照度を予め定めておくと、点灯の有無により回転機構が回転しているか否かどうかを検知することができるとともに、さらにはその照度にてその回転数をも検知することができる。
【００１８】
また、検知手段としては、図２（Ｂ）に示すように、計測器５を用いることができる。この計測器５としては、電流計又は電圧計等を用いることができ、この計測器５の場合も、ハブダイナモ２とリード線６を介して接続し、ハブダイナモ２により発生する電力にて計測器５の指針が振れるようにする。
計測器５として電流計又は電圧計等を用いることにより、指針の振れにより回転機構が回転しているか否かどうかを検知することができる。
さらに、この発生電力は、回転軸の回転数によって異なるが、回転している以上微弱電流は発生するため、この微弱電流をも確認することができるので、低速回転軸における運転検知にはこの電流計又は電圧計等を用いるが適しており、さらには遠隔動作確認も可能となる。
【００１９】
以上、本発明の自己回転検知システムについて、実施例に基づいて説明したが、本発明は上記実施例に記載した構成に限定されるものではなく、例えば、検知手段として、上記実施例に記載のもののほか、ブザー等の警報装置を用いるようにする等、その趣旨を逸脱しない範囲において適宜その構成を変更することができるものである。
【産業上の利用可能性】
【００２０】
本発明の自己回転検知システムは、回転機構の回転する軸に、高効率で自己発電を促すようにしたハブダイナモを直結し、この発生した電力を利用して自己回転検知を無動力で行うという特性を有していることから、無動力式回転機構の回転検知の用途に好適に用いることができるほか、例えば、回転軸を用いた回転機構であれば分野を問わず様々な機器の動作検知の用途にも用いることができる。
【図面の簡単な説明】
【００２１】
【図１】本発明の自己回転検知システムの実施の態様を示す正面図である。
【図２】本発明の自己回転検知システムの説明図で、（Ａ）は検知方法の計測器としてランプを用いた実施例を、（Ｂ）は電流計を用いた実施例を、それぞれ示す。
【符号の説明】
【００２２】
１    回転機構の回転軸
２    ハブダイナモ
２１  ハブダイナモの回転円筒体
２２  ハブダイナモの軸
３    接続用フランジ
４    ライト
５    電流又は電圧計等の計測器
６    リード線
【図１】
2005312116.tif 000003
【図２】
2005312116.tif 000004